(57)【要約】【課題】詰め替え用の内容器を、簡単な動作で外容器に装填する。【解決手段】注出部を有する外容器１２内に、詰め替え用の内容器３０を収納する注出用収納容器において、外容器１２は、ケース本体１５と、ケース本体１５の上部近傍で容器軸心Ｏを中心とする接線周りに開閉自在に支持されたケース蓋体１６とを具備し、内容器３０に形成された内口頸部３３の開口面をシール材３５で被覆するとともに、内口頸部３３に受動片３４を突出させ、ケース本体１５内の上端側に、注出口に連通される挿入筒２６を下方に突出させ、ケース蓋体１６内に、ケース蓋体１６の閉動時に受動片３４を介して内容器３０を押し上げる駆動片２０を設け、ケース蓋体１６の閉動動作により、駆動片２０と受動片３４を介して、内容器３０を押し上げて挿入筒２６をシール材３５に嵌入させる。【選択図】図１
2015040065.tif 000002
【特許請求の範囲】
【請求項１】
上端に注出部を有する外容器内に、詰め替え用の内容器を収納する注出用収納容器であって、
外容器を、ケース本体と、当該ケース本体の上部近傍で容器軸心を中心とする接線周りに開閉自在に支持されたケース蓋体とを具備し、
内容器に形成された内口頸部の開口面をシール部により閉鎖するとともに、当該内口頸部の外側部に受動片を突出させ、
ケース本体内の上端側に、前記注出部に連通される挿入筒を下方に突出させ、
ケース蓋体内に、ケース蓋体の閉動時に前記受動片に下方から当接可能な駆動片を設け、
ケース蓋体とケース本体の少なくとも一方の閉動動作により、前記駆動片と前記抽出部を互いに接近させ、前記受動片を介して前記内口頸部を前記注出部側に押し込み、前記挿入筒を前記シール部に嵌入させる
ことを特徴とする注出用収納容器。
【請求項２】
ケース蓋体とケース本体の少なくとも一方の開動時に、駆動片を抽出部から離間させて内容器を引き出し、シール部を挿入筒から離脱させる被離脱部を、内容器に設けた
ことを特徴とする請求項１記載の注出用収納容器。
【請求項３】
ケース本体に、ケース蓋体を閉じた状態で、駆動片との間で受動片を保持する規制部を設けた
ことを特徴とする請求項１または２記載の注出用収納容器。
【請求項４】
ケース本体に、注出部を有する外口頸部を設け、
挿入筒を、前記外口頸部内に設け、
内口頸部の両側に一対の受動片を突設するとともに、これら受動片の下方に対向してケース蓋体内からケース本体側に一対の駆動片を突設し、
ケース本体に、内容器の受動片を下方から支持する位置決め部材を設け、
開放状態のケース本体に内容器を組付けて、前記位置決め部材の前記注出部側に受動片を配置した後、外容器を閉じる
ことを特徴とする請求項１乃至３のいずれかに記載の注出用収納容器。
【請求項５】
ケース本体に注出部を装着する外口頸部を設け、
前記外口頸部内に挿入筒を設け、
内口頸部の両側に一対の受動片を突設し、
ケース本体内面から前記外口頸部側に傾斜されて、ケース蓋体の閉動時に内容器の前記内口頸部を案内する内容器案内面を形成し、
開放状態のケース蓋体に内容器を組付けて、駆動片の前記注出部側に受動片を配置した後、外容器を閉じる
ことを特徴とする請求項１乃至３のいずれかに記載の注出用収納容器。
【発明の詳細な説明】
【技術分野】
【０００１】
本発明は、注出口を有する外容器内に、詰め替え用の内容器や内パックを装填する注出用収納容器に関する。
【背景技術】
【０００２】
外容器（ケース本体、容器本体）内に詰め替え用の内容器を収納した時に、外容器の頂部に設けられた注出口や注出ポンプに連通された挿入筒を、内容器の口部に取り付けられたシール材を貫通して接続する従来技術として、たとえば特許文献１および２がある。
【０００３】
特許文献１は、上面開口部が開放されたケース本体と、このケース本体に上方から挿入収納される内容器と、ケース本体に上方から閉動して閉じるポンプ付のケース蓋体と、を具備している。そして、ケース蓋体は、一対の脚板を介してケース本体の切溝部に昇降自在に連結され、ケース蓋体に、ポンプの吸込みノズルを垂下している。特許文献１によれば、上面開口部からケース本体内に容器体を挿入し、ケース蓋体を持ち上げて上方からケース本体に押し込むことにより、吸込みノズルを、容器体の口頸開口部に取り付けられたシール材に貫入させ、ケース蓋体でケース本体を閉じることにより、詰め替え用の内容器の装填が完了する。
【０００４】
特許文献２は、上面開放の容器本体と、容器本体に嵌合されて上面が密封フィルムで覆われた内容器と、容器本体にヒンジを介して開閉自在な蓋体と、蓋体に設けられたポンプ部材とを具備し、蓋体には、ポンプ部材から垂下された筒体と、この筒体を支持する支持腕が設けられている。特許文献２によれば、内容器を装着した容器本体に、蓋体を、ヒンジを中心に回動して閉じることにより、筒体の先端部を、内容器の開口面に取り付けられた密封フィルムに貫入させ、詰め替え用の内容器の装填が完了する。
【先行技術文献】
【特許文献】
【０００５】
【特許文献１】特許第３９０４８３６号
【特許文献２】特許第４１０８８３１号
【発明の概要】
【発明が解決しようとする課題】
【０００６】
特許文献１では、内容器体をケース本体に挿入設置後、ケース蓋体を閉動してケース本体の上方まで回動させた後、ケース蓋体をケース本体側に押し込むため、動作が複雑になること、ケース蓋体を上方からケース本体に押し込んで、吸上げパイプをシール材に貫入させるため、十分な押し込み力を必要とすることなどの問題がある。
【０００７】
また特許文献２では、容器本体の上面開放部の径が十分あり、ヒンジと筒体との距離が十分とれるため、筒体を密封フィルムに貫入させる押し込み力は少なくてもよいが、上面開放部の径が小さい容器本体の場合、筒体を密封フィルムに貫入させるために、大きい押し込み力が必要となるという問題があった。
【０００８】
本発明は上記問題点を解決して、詰め替え用の内容器を、簡単な動作で、注出部を有する外容器に装填できる注出用収納容器を提供することを目的とする。
【課題を解決するための手段】
【０００９】
請求項１記載の発明は、
上端に注出部を有する外容器内に、詰め替え用の内容器を収納する注出用収納容器であって、
外容器を、ケース本体と、当該ケース本体の上部近傍で容器軸心を中心とする接線周りに開閉自在に支持されたケース蓋体とを具備し、
内容器に形成された内口頸部の開口面をシール部により閉鎖するとともに、当該内口頸部の外側部に受動片を突出させ
ケース本体内の上端側に、前記注出部に連通される挿入筒を下方に突出させ、
ケース蓋体内に、ケース蓋体の閉動時に前記受動片に下方から当接可能な駆動片を設け、
ケース蓋体とケース本体の少なくとも一方の閉動動作により、前記駆動片と前記抽出部を互いに接近させ、前記受動片を介して前記内口頸部を前記注出部側に押し込み、前記挿入筒を前記シール部に嵌入させることを特徴とする。
【００１０】
請求項２記載の発明は、請求項１記載の構成において、
ケース蓋体とケース本体の少なくとも一方の開動時に、駆動片を抽出部から離間させて内容器を引き出し、シール部を挿入筒から離脱させる被離脱部を、内容器に設けたことを特徴とする。
【００１１】
請求項３記載の発明は、請求項１または２記載の構成において、
ケース本体に、ケース蓋体を閉じた状態で、駆動片との間で受動片を保持する規制部を設けたことを特徴とする。
【００１２】
請求項４記載の発明は、請求項１乃至３のいずれかに記載の構成において、
ケース本体に、注出部を有する外口頸部を設け、
挿入筒を、前記外口頸部内に設け、
内口頸部の両側に一対の受動片を突設するとともに、これら受動片の下方に対向してケース蓋体内からケース本体側に一対の駆動片を突設し、
ケース本体に、内容器の受動片を下方から支持する位置決め部材を設け、
開放状態のケース本体に内容器を組み付けて、前記位置決め部材の前記注出部側に受動片を配置した後、外容器を閉じることを特徴とする。
【００１３】
請求項５記載の発明は、請求項１乃至３のいずれかに記載の構成において、
ケース本体に注出部を装着する外口頸部を設け、
前記外口頸部内に挿入筒を設け、
内口頸部の両側に一対の受動片を突設し、
ケース本体内面から前記外口頸部側に傾斜されて、ケース蓋体の閉動時に内容器の前記内口頸部を案内する内容器案内面を形成し、
開放状態のケース蓋体に内容器を組み付けて、駆動片の前記注出部側に受動片を配置した後、外容器を閉じることを特徴とする。
【発明の効果】
【００１４】
請求項１記載の発明によれば、ケース本体内に、内容器を内口頸部が注出部に対向するように組み付け、ケース蓋体（またはケース本体）を閉動することで、駆動片により受動片を介して内口頸部を押し上げて（または駆動片で規制された受動片に対して内口頸部を接近させて）、挿入筒をシール部に嵌入させ、注出部と内容器を連通して、内容器を外容器内に収納することができる。したがって、詰め替え用の内容器を、簡単な開閉動作で外容器内に装填することができる。
【００１５】
請求項２記載の発明によれば、ケース蓋体を開動する時に、駆動片により被離脱部を介して内口頸部を押し下げ、挿入筒をシール部から引き抜いて、ケース本体と内容器とを分離することができる。したがって、使用後の内容器を容易に取り出すことができ、詰め替え用の内容器の交換を容易に行うことができる。
【００１６】
請求項３記載の発明によれば、ケース本体に規制部を設けたので、押し上げられた内口頸部を、この規制部と駆動片との間で保持することができ、外容器内に内容器を安定して収納することができる。
【００１７】
請求項４記載の発明によれば、ケース本体に内容器を組み付ける時に、位置決め部材により、内容器を位置決めすることができるので、内容器を本体容器内に正確に組み付けることができる。
【００１８】
請求項５記載の発明によれば、ケース体に内容器を組み付ける時に、内口頸部の受動片を、駆動片の注出部側に挿入配置することにより、ケース蓋体を閉動することで、駆動片により受動片を介して内口頸部を押し上げて挿入筒をシール部に嵌入させ、注出部と内容器を接続して内容器を外容器内に収納することができる。したがって、詰め替え用の内容器を、簡単な動作で外容器内に装填することができる。
【図面の簡単な説明】
【００１９】
【図１】本発明に係る注出用収納容器の実施例１を示し、内容器装着前の分解斜視図である。
【図２】内容器をケース本体に組み付けた状態を示す要部の拡大斜視図である。
【図３】（ａ）（ｂ）は注出用収納容器を示し、（ａ）は正面図、（ｂ）は側面図である。
【図４】（ａ）（ｂ）は内容器の組み付けとケース蓋体の閉動状態を示し、（ａ）は要部の側面断面図、（ｂ）はケース本体の要部の平面断面図である。
【図５】（ａ）（ｂ）は内容器の装填状態を示し、（ａ）はケース本体の要部の側面断面図、（ｂ）は要部の平面断面図である。
【図６】ケース蓋体の開動と内容器の取り外し状態を示す要部の側面断面図である。
【図７】本発明に係る注出用収納容器の実施例２を示し、内容器装着前の分解斜視図である。
【図８】内容器をケース蓋体に組み付けた状態の要部の拡大斜視図である。
【図９】注出用収納容器を示す正面断面図である。
【図１０】（ａ）（ｂ）は内容器の組み付けとケース本体の閉動状態を示し、（ａ）は要部の側面断面図、（ｂ）は、（ａ）に示すａ−ａ断面図である。
【図１１】（ａ）（ｂ）は内容器の装填状態を示し、（ａ）は要部の側面断面図、（ｂ）は、（ａ）に示すｂ−ｂ断面図である。
【図１２】（ａ）（ｂ）はケース本体の開動と内容器の取り外し状態を示し、（ａ）は要部の側面断面図、（ｂ）は、（ａ）に示すｃ−ｃ断面図である。
【発明を実施するための形態】
【００２０】
［実施例１］
以下、本発明に係る注出用収納容器の実施例１を図１〜図６に基づいて説明する。
この注出用収納容器は、図１〜図３に示すように、注出口（注出部）１１を有する外容器１２内に、調味液や薬液などの内容液を収納した詰め替え用の内容器３０を収納し、外容器１２により、内容液の注出により減容変形する内容器３０の形状や姿勢を、立設可能なものとすることができる。なお、内容器３０は、図示するように、フィルムバッグ（パウチ）として説明したが、自立可能な樹脂製の薄肉容器（ボトル）であってもよい。
【００２１】
（外容器）
外容器１２は、上端部に装着されて注出口１１を有するキャップ２１と、詰め替え時に内容器３０が組み付けられるケース本体１５と、ケース本体１５の肩部（規制部）１７にヒンジ１４を介して開閉自在に支持されたケース蓋体１６を具備し、ケース本体１５とケース蓋体１６により、内容器３０を収納可能な縦長の略直方体形の中空状に形成されている。
【００２２】
（内容器）
内容器３０は、可撓性で略矩形状のバッグ本体３１の上部に、幅（上辺）方向に長い硬質のフランジ部３２が溶着されて封止され、このフランジ部３２に、取出口３３ａが形成された円筒形の内口頸部３３が突出されている。そして、内口頸部３３の外周面で取出口３３ａから下方の所定位置に、左右一対の受動片３４が幅方向に突設されている。さらに、取出口３３ａの開口面に、内容液の漏出を防止するフィルム状のシール材（シール部）３５が取り付けられている。
【００２３】
（ケース本体）
前記ケース本体１５は、上部に形成された肩部１７の中央部で容器軸心Ｏ位置に、円筒形のネック部（外口頸部）１８が突出されており、ネック部１８の外周面に形成されたねじ部に、キャップ２１が螺着されている。またネック部１８の軸心穴１８ｂの内周面に、内口頸部３３が密に嵌合されて内容液がケース本体１５と内容器３０の間に漏出するのを防止する漏出シール部１８ａが設けられている。さらにキャップ２１は、ネック部１８に外嵌されるキャップ本体（外口頸部）２２と、キャップ本体２２に可動連結部２３を介して開閉自在に取り付けられた開閉蓋２４を具備し、キャップ本体２２の閉鎖面部２２ａに円錐形のノズル部２５が突出され、ノズル部２５の頂部に注出口１１が穿孔されている。また閉鎖面部２２ａの底面から下方にシールリング２９が垂下され、このシールリング２９の先端部が漏出シール部１８ａに嵌合されることにより、ネック部１８とキャップ２１の隙間から内容液が外部に漏れるのを防止している。なお、ケース本体１５と一体に注出口（注出部）を有する内口頸部を設け、この内口頸部に注出口を開閉する開閉蓋を設けてもよい。
【００２４】
さらにキャップ本体２２の閉鎖面部２２ａ内面に、注出口１１に連通される挿入筒２６が容器軸心Ｏに沿って垂下されている。この挿入筒２６の下端開口面は、シール材３５を貫通しやすいように、たとえば勾配を有する穿刺面２６ａが形成されているが、この形状に限るものではない。
【００２５】
ケース本体１５の肩部１７でケース蓋体１６側に、ピンとピン穴からなるヒンジ１４が設けられて、ケース蓋体１６が容器軸心Ｏの接線周りに開閉自在に支持されている。ここで、ケース本体１５とケース蓋体１６は、容器軸心Ｏを通る平面で略均等に二分割されているが、均等分割に限るものではなく、ケース本体１５を、内容器３０を収納可能な立体形状とし、ケース蓋体１６を平坦状に形成することもできる。
【００２６】
ケース本体１５内には、内容器３０の組み付け位置を位置決めするために、挿入筒２６の下方に対向して、内口頸部３３が嵌合される平面視Ｕ字形の位置決め爪（位置決め部材）１９が突出されており、組み付け時に位置決め爪１９上の挿入筒２６側に受動片３４が配置される。
【００２７】
（ケース蓋体）
ケース蓋体１６内のヒンジ１４近傍に、左右一対の駆動片２０が内口頸部３３に向かって突出されている。そして、図４（ａ）に示すように、ヒンジ１４および駆動片２０の位置および駆動片２０の長さにより設定される駆動片２０の遊端部の回動軌跡２０Ｌと、内口頸部３３のフランジ部３２と受動片３４の距離Ｌ１により、（１）ケース蓋体１６の閉動時に、駆動片２０により受動片３４を介して内容器３０をキャップ２１側に所定距離Ｌ２だけ押し上げて挿入筒２６をシール材３５に嵌入させる。これにより、受動片３４が、規制部である肩部１７と駆動片２０との間に挟み込まれ、内容器３０を外容器１２内の一定位置に保持することができる。（２）ケース蓋体１６の開動時に、駆動片２０の遊端部が、被離脱部であるフランジ部３２に当接されて内容器３０を押し下げ、これによりシール材３５を挿入筒２６から離脱させて、内口頸部３３をネック部１８から離脱させることができる。
【００２８】
なお、これら左右の駆動片２０の間隔は、位置決め爪１９より広く形成されており、ケース蓋体１６の開閉動作時に、位置決め爪１９が接触することはない。
２８は、ケース蓋体１６のネック部１８側に形成された窓部で、開放状態でキャップ２１との干渉を防止して広い展開角を確保し、内容器３０を容易に挿入することができる。
【００２９】
またケース本体１５の開口面で左右側面と底面に、閉鎖収納状態を保持する複数の係合爪２７Ａが突出され、これら係合爪２７Ａが係合される係合溝２７Ｂがケース蓋体１６にそれぞれ形成されている。もちろん、係合爪２７Ａと係合溝２７Ｂは、ケース蓋体１６とケース本体１５のどちらに設けられていてもよい。
【００３０】
［内容器の詰め替え動作］
内容器３０の詰め替え動作を図４〜図６を参照して説明する。
（内容器の装填）
１）たとえば外容器１２を、底部がケース本体１５となるように倒伏させ、ケース本体１５の左右の側面および底面を押圧して、係合溝２７Ｂから係合爪２７Ａを離脱させ、ケース蓋体１６を開動させて開放する。
【００３１】
２）内容器３０のバッグ本体３１をケース本体１５内に挿入し、受動片３４が位置決め爪１９の挿入筒２６側となるように、内口頸部３３をケース本体１５に嵌め込む。この状態で、挿入筒２６に対向して内口頸部３３のシール材３５が配置される。
【００３２】
３）ケース蓋体１６がヒンジ１４を中心に回動させて、ケース蓋体１６を閉じると、駆動片２０が位置決め爪１９の外側を通って受動片３４を上方に押し上げる。これにより、内口頸部３３がネック部１８の漏出シール部１８ａ内に密に嵌入されて内容液の漏出が防止されると同時に、挿入筒２６がシール材３５に貫入され、注出口１１と内容器３０とが連通される。さらに、係合爪２７Ａが係合溝２７Ｂにそれぞれ係合されて外容器１２が閉じられると、内容器３０は、内口頸部３３の受動片３４が肩部１７と駆動片２０との間に保持されて、外容器内に安定して収納される。これにより、内容器３０の内容液を注出口１１から注ぐことができる。
【００３３】
（内容器の取出し）
１１）内容器３０の内容液が無くなると、たとえば外容器１２を、底側がケース本体１５となるように倒伏着地させ、ケース蓋体１６の左右の側面および底面をそれぞれ押圧して、係合溝２７Ｂから係合爪２７Ａを離脱させ、ケース蓋体１６を開ける。
【００３４】
１２）すると、駆動片２０がヒンジ１４を中心に下方に回動する途中で、内容器３０のフランジ部３２に当接して、内口頸部３３が下方に押し下げられる。これにより、挿入筒２６からシール材３５が抜き出されて、内口頸部３３がネック部１８の漏出シール部１８ａから離脱され、内容器３０とケース本体１５が分離される。したがって、空の内容器３０を、ケース本体１５から容易に取り出すことができる。
【００３５】
［実施例１の効果］
実施例１によれば、ケース本体１５内に、内容器３０をその内口頸部３３のシール材３５がネック部１８の挿入筒２６に対向するように組み付け、ケース蓋体１６を閉動することで、駆動片２０により受動片３４を介して内口頸部３３を押し上げ、挿入筒２６をシール材３５に嵌入させることができる。これにより、注出口１１と内容器３０とを連通して、内容器３０を外容器１２内に収納することができる。したがって、詰め替え用の内容器３０を、簡単な動作で外容器１２内に装填することができる。
【００３６】
また、ケース蓋体１６を開動する時に、駆動片２０によりフランジ部３２を介して内口頸部３３を押し下げ、挿入筒２６をシール材３５から抜き出して、ケース本体１５と内容器３０とを分離することができる。したがって、使用後の内容器３０をケース本体１５容易に取り出すことができ、詰め替え用の内容器３０の交換を容易に行うことができる。
【００３７】
さらに、ケース本体１５に設けられた位置決め爪１９により、内容器３０の内口頸部３３を精度良く配置して組み付けることができる。また、ケース本体１５に設けられた肩部１７と、駆動片２０の間で受動片３４保持するので、外容器１１内に内容器３０を安定して収納することができる。
【００３８】
［実施例２］
以下、本発明に係る注出用収納容器の実施例２を図７〜図１２に基づいて説明する。実施例１では、内容器３０の詰め替え時に、内容器３０を、位置決め爪を有するケース本体側に組み付けたが、実施例２では、内容器３０を、駆動片を有するケース蓋体側に組み付けるもので、ケース本体の位置決め爪が削除されている。なお、実施例１と同一部材には同一符号を付して説明を省略する。
【００３９】
（外容器）
図７〜図９に示すように、外容器４２の上端側に、ネックフランジ（規制部）５１に立設されたネック部（外口頸部）５２を具備し、このネック部５２にキャップ２１が装着されている。外容器４２は、ネックフランジ５１から底部側に延びる円筒部から、底部ほど拡径される略円錐台形（コーン形）の中空部が形成されている。また外容器１２は、ネックフランジ５１を有するケース本体４５と、このケース本体４５のネックフランジ５１にヒンジ４４を介して開閉自在に支持されて、詰め替え時に内容器３０が組み付けられるケース蓋体４６を具備している。ここで、ケース本体４５とケース蓋体４６は、容器軸心Ｏを通る平面で略均等に二分割されているが、均等分割に限るものではない。
【００４０】
（内容器）
内容器３０は、可撓性のバッグ本体３１が略円錐台形に形成され、上端部に、硬質樹脂製の円板状フランジ部３２が溶着されてバッグ本体３１が封止されている。このフランジ部３２に、取出口３３ａが形成された円筒形の内口頸部３３が突出されている。そして、内口頸部３３の外周面で取出口３３ａから所定距離下方位置に、左右一対の受動片３４が突設されている。さらに、取出口３３ａの開口面に、内容液の漏出を防止するシール材３５が取り付けられている。
【００４１】
（ケース本体）
規制部を構成するネックフランジ５１は、ケース本体４５の上端側にキャップ２１と略同一の外径に形成され、容器軸心Ｏ位置に円筒形のネック部５２が立設されている。このネック部５２の外周面に形成されたねじ部にキャップ（外口頸部）２１が螺着されている。そして、ネックフランジ５１とネック部５２に形成された軸心穴５１ａの内面に、内口頸部３３が密に嵌合される漏出シール部１８ａが設けられている。キャップ２１は、キャップ本体（外口頸部）２２と、開閉蓋２４からなり、キャップ本体２２の閉鎖面部２２ａから突出されたノズル部２５に、注出口１１が開口されている。開閉蓋２４は、閉鎖面部２２ａに可動連結部２３を介して開閉自在に取り付けられている。そして、閉鎖面部２２ａから軸心穴５１ａ側に伸びる挿入筒２６が垂下されている。
【００４２】
前記ヒンジ４４は、ケース本体４５のネックフランジ５１側に設けられた支持ピンに、ケース蓋体４６側形成された鍵型（Ｊ型）の係合片が回動自在に係合されており、このヒンジ４４を介してケース蓋体４６が容器軸心Ｏの接線周りに開閉自在に支持されている。
【００４３】
またケース本体４５の上部内面でネックフランジ５１側に、下部（遊端）側から軸心穴５１ａの開口縁に向かって傾斜される内容器案内面５３が形成されており、ケース本体４５が閉動される時に、この内容器案内面５３により、駆動片２０により受動片３４を介して下部（遊端）側への移動を規制された内容器３０の内口頸部３３を、ネックフランジ５１の軸心穴５１ａに案内することができる。
【００４４】
（ケース蓋体）
ケース蓋体４６の上部には、受動片３４を介して内口頸部３３を押し上げる駆動片２０が、ネックフランジ５１から所定間隔をあけて突設されている。駆動片２０は、内口頸部３３が嵌合可能な平面視Ｕ形に形成され、内口頸部３３の両側に左右一対の遊端部がケース本体４５側に突出される。そして、図１０（ａ）に示すように、これら駆動片２０およびヒンジ４４の設置位置および駆動片２０の長さにより設定される駆動片２０の遊端部の回動軌跡２０Ｌと、内口頸部３３のフランジ部３２と受動片３４の距離Ｌ２により、ケース本体４５（ケース蓋体４６）の閉動時に、駆動片２０により受動片３４を介して内容器３０が下部（遊端）側への移動を規制しつつ回動させて、内容器案内面５３により内口頸部３３をネックフランジ５１の軸心穴５１ａに案内し、回動軌跡３５Ｌで示すように、挿入筒２６にシール材３５に嵌入させることができる。そして図１１に示すように、受動片３４を、規制部となるネックフランジ５１と駆動片２０との間に挟み込み、内容器３０を外容器１２内の所定位置に保持することができる。さらに図１２（ａ）の駆動片２０の回動軌跡２０Ｌに示すように、ケース本体４５（またはケース蓋体４６）の開動時に、駆動片２０によりフランジ部３２を介して内容器３０を下部（遊端）側に押し上げ、挿入筒２６からシール材３５を離脱させることができる。
【００４５】
［内容器の詰め替え動作］
（内容器の装填）
２１）外容器４２を、ケース蓋体４６が底側となるように倒伏着地させる。そしてケース本体４５の左右の側面および底面を押圧して、係合溝２７Ｂから係合爪２７Ａを離脱させ、ケース本体４５を開動させて外容器４２を開放する。
【００４６】
２２）内容器３０のバッグ本体３１をケース蓋体４６内に挿入し、内口頸部３３を、受動片３４が駆動片２０のネックフランジ５１側となるように、ケース蓋体４６内に組み付ける。
【００４７】
２３）ケース本体４５がヒンジ４４を中心に閉動されると、ケース蓋体４６の駆動片２０が受動片３４を介して、内容器３０の下部（遊端）側へ移動を規制した状態で、ネックフランジ５１の軸心穴５１ａが内口頸部３３に接近する。そして内容器案内面５３が内口頸部３３に当接して内口頸部３３をネックフランジ５１の軸心穴５１ａ側に案内し、内口頸部３３がネックフランジ５１の軸心穴５１ａに嵌め込まれる。さらに、内口頸部３３が漏出シール部１８ａ内に密に嵌入されて、内容液の漏出が防止されると同時に、挿入筒２６の先端部がシール材３５に貫入され、注出口１１と内容器３０内が接続される。さらにまた、係合爪２７Ａが係合溝２７Ｂにそれぞれ係合されて外容器４２が閉じられ、内容器３０が外容器１２内に収納される。これにより、内容器３０の内容液を注出口１１から注ぐことができる。
【００４８】
なお、ケース本体４５を固定しておき、ケース蓋体４６をヒンジ４４を介して閉動させた場合には、駆動片２０が受動片３４を介して内容器３０の内口頸部３３を上部（固定端）側に押し出しつつ、内容器案内面５３により内口頸部３３がネックフランジ５１の軸心穴５１ａに案内されて嵌め込まれることになる。
【００４９】
（内容器の取出し）
３１）内容器３０の内容液が無くなると、外容器１２を、たとえばケース蓋４６を倒伏させて着地させ、ケース本体４５を押圧して係合溝２７Ｂから係合爪２７Ａを離脱させた後、ケース本体４５を開ける。
【００５０】
３２）ケース本体４５がヒンジ４４を中心に開動される途中で、駆動片２０が内容器３０のフランジ部３２に当接して、内容器３０を下部（遊端）側に押し出す。これにより、シール材３５が挿入筒２６から抜き出されて、内口頸部３３がネックフランジ５１の軸心穴５１ａから離脱される。したがって、空の内容器３０を、ケース本体４５から容易に取り出すことができる。
【００５１】
（実施例２の効果）
実施例２によれば、詰め替え用の内容器３０の交換時に、内容器３０をケース蓋体４６に組み付け、駆動片２０のネックフランジ５１側に位置決めする。そして、ケース本体４５を閉動し、駆動片２０により受動片３４を介して内容器３０の下部（遊端）側への移動を規制しつつ、ネックフランジ５１を内口頸部３３に接近させ、内容器案内面５３により内口頸部３３を案内して、軸心穴５１ａを内口頸部３３に嵌め込むことにより、挿入筒２６をシール材３５に貫入させる。これにより、注出口１１と内容器３０とが連通されて、内容器３０を外容器１２内に装填収納することができる。このように、詰め替え用の内容器３０を、簡単な動作で外容器１２内に装填することができる。
【００５２】
この実施例２では、実施例１の位置決め爪１９を削除している。実施例１では、使用者が誤って、内容器３０をケース蓋体４６に挿入して、受動片３４を駆動片２０の環状体５１側に配置し、ケース蓋体４６を閉動した場合、駆動片２０により受動片３４が位置決め爪１９の間に挟まって、ケース蓋体４６を閉じることができない。さらに使用者がケース蓋体４６を強い力で閉じようとすると、受動片３４、駆動片２０、位置決め爪１９のいずれかが破損されるおそれがある。しかし、実施例２の場合、ケース本体４５側に位置決め爪１９のような位置決め部材が無いことから、ケース本体４５側に内容器３０を組み込んでケース蓋体４６を閉じても、挿入筒２６が軸心穴５１ａに嵌め込まれたり、挿入筒２６がシール材３５に貫入されることがなく、使用者の誤操作による破損を未然に防止することができる。
【００５３】
なお、実施例１，２では、取出口３３ａの開口面にシール材３５を取り付けてシール部としたが、シール部を、内口頸部３３と一体に成形されて挿入筒２６により破断可能な薄肉壁部としてもよい。またシール部を、内口頸部３３と一体に成形された閉鎖部の所定部分に、挿入筒２６により破断可能なミシン目を形成したり、さらに閉鎖部の所定部分に、挿入筒２６により破断可能なスコア（薄肉部）を形成することもできる。
【符号の説明】
【００５４】
Ｏ    容器軸心
１１    注出口
１２    外容器
１４    ヒンジ
１５    ケース本体
１６    ケース蓋体
１７    肩部（規制部）
１８    ネック部（外口頸部）
１８ａ  漏出シール部
１８ｂ  軸心穴
１９    位置決め爪（位置決め部材）
２０    駆動片
２１    キャップ
２２    キャップ本体（外口頸部）
２２ａ  閉鎖面部
２４    開閉蓋
２６    挿入筒
２６ａ  穿刺面
３０    内容器
３１    バッグ本体
３２    フランジ部（被離脱部）
３３    内口頸部
３３ａ  取出口
３４    受動片
３５    シール材
４２    外容器
４４    ヒンジ
４５    ケース本体
４６    ケース蓋体
５１    ネックフランジ（規制部）
５１ａ  軸心穴
５２    ネック部（外口頸部）
５３    内容器案内面
【図１】
2015040065.tif 000003
【図２】
2015040065.tif 000004
【図３】
2015040065.tif 000005
【図４】
2015040065.tif 000006
【図５】
2015040065.tif 000007
【図６】
2015040065.tif 000008
【図７】
2015040065.tif 000009
【図８】
2015040065.tif 000010
【図９】
2015040065.tif 000011
【図１０】
2015040065.tif 000012
【図１１】
2015040065.tif 000013
【図１２】
2015040065.tif 000014